(57)【要約】【課題】  ビデオ再生装置において、ビデオ信号からオーディオ信号へのノイズの混入を軽減させる。【解決手段】  ビデオ再生装置において、ビデオ信号を出力するビデオ信号出力端子と、オーディオ信号を出力するオーディオ信号出力端子と、オーディオ信号出力端子が出力するオーディオ信号の電圧からビデオ信号出力端子が出力するビデオ信号の電圧を出力負荷抵抗値に基づいて予め設定した割合で減算し、減算したオーディオ信号をオーディオ信号出力端子に出力する減算処理部とを備える。【選択図】  図１
2007150677.tif 000002
【特許請求の範囲】
【請求項１】
ビデオ信号を出力するビデオ信号出力端子と、オーディオ信号を出力するオーディオ信号出力端子と、前記オーディオ信号出力端子が出力するオーディオ信号の電圧から前記ビデオ信号出力端子が出力するビデオ信号の電圧を出力負荷抵抗値に基づいて予め設定した割合で減算し、減算したオーディオ信号を前記オーディオ信号出力端子に出力する減算処理部とを備えることを特徴とするビデオ再生装置。
【発明の詳細な説明】
【技術分野】
【０００１】
本発明は、ビデオ信号及びオーディオ信号を再生するビデオ再生装置に関する。
【背景技術】
【０００２】
図２は、従来のビデオ再生装置をアンプ装置に接続した構成を示すブロック図である。ビデオ再生装置１のビデオ信号出力端子３とオーディオ信号出力端子４は、それぞれ、ビデオ信号伝送ケーブルとオーディオ信号伝送ケーブルを介して、アンプ装置５のビデオ信号入力端子６とオーディオ信号入力端子７に接続される。アンプ装置５のビデオ信号入力端子６は負荷抵抗Ｒ３（＝７５Ω）、オーディオ信号入力端子７は負荷抵抗Ｒ４（＝４７ｋΩ）を、それぞれ備えている。
【０００３】
ビデオ信号伝送ケーブルは、ビデオ信号伝送線Ｖ１と接地線Ｅ４を備える。オーディオ信号伝送ケーブルは、オーディオ信号線Ａ１と接地線Ｅ５を備える。ビデオ信号伝送ケーブルの接地線Ｅ４は、ビデオ再生装置１内、及びアンプ装置内５で、それぞれ、ビデオ信号出力端子３、ビデオ信号入力端子６を介して、接地線Ｅ２、Ｅ６からオーディオ信号出力端子４、オーディオ信号入力端子７と共通の接地線Ｅ１、Ｅ８に接続される。オーディオ信号伝送ケーブルの接地線Ｅ５は、ビデオ再生装置１内、及びアンプ装置内５で、それぞれ、オーディオ信号出力端子４、オーディオ信号入力端子７を介して、接地線Ｅ３、Ｅ７からビデオ信号出力端子３、ビデオ信号入力端子６と共通の接地線Ｅ１、Ｅ８に接続される。
【０００４】
ビデオ信号伝送ケーブルとオーディオ信号伝送ケーブルの接地線Ｅ４、Ｅ５は、抵抗Ｒ２を持つため、ビデオ再生装置１側の接地線とアンプ装置５側の接地線の間に電位差Ｅｎが発生する。電位差Ｅｎ分の電圧は、アンプ装置５に入力されるビデオ信号とオーディオ信号に加わる。
ビデオ信号伝送ケーブル及びオーディオ信号ケーブルが一般的なビデオ再生装置で用いられる場合のビデオ信号電圧、オーディオ信号電圧、抵抗値として、ビデオ信号電圧＝１．０Ｖp-p、オーディオ信号電圧＝２．８Ｖp-p、抵抗Ｒ２＝０．０５Ωとした場合、ビデオ信号電流、オーディオ信号電流、電位差Ｅnは、以下の式で表される。
ビデオ信号電流＝１．０Ｖp-p／７５Ω＝１３．３３３ｍＡp-p
オーディオ信号電流＝２．８Ｖp-p／４７ｋΩ＝０．０５９６ｍＡp-p
電位差Ｅn＝（１３．３３３ｍＡp-p＋０．０５９６ｍＡp-p）×０．０５Ω＝０．６７ｍＶp-p
電位差Ｅｎの成分は、主としてビデオ信号成分であるので、オーディオ信号にノイズとして強く影響する。
【０００５】
このような電位差に起因するノイズを防止するために、信号伝送ケーブルの接地線を接続せずに別の一か所で接地線を接続し、接地線に生ずる電位差を解消する装置があった（特許文献１参照）。
【０００６】
【特許文献１】特開平１１−２６０４３５号公報
【発明の開示】
【発明が解決しようとする課題】
【０００７】
特許文献１の装置は、ビデオ再生装置とアンプ装置において、別の一か所で接地線を接続するための回路構成と接地ケーブルの接続を必要とした。
【０００８】
本発明の目的は、ビデオ再生装置において、別の一か所での接地線の接続を必要とすることなく、オーディオ信号に加えられるビデオ信号成分によるノイズを軽減することができる装置を提供することにある。
【課題を解決するための手段】
【０００９】
本発明の請求項１に記載のビデオ再生装置は、ビデオ信号を出力するビデオ信号出力端子と、オーディオ信号を出力するオーディオ信号出力端子と、前記オーディオ信号出力端子が出力するオーディオ信号の電圧から前記ビデオ信号出力端子が出力するビデオ信号の電圧を出力負荷抵抗値に基づいて予め設定した割合で減算し、減算したオーディオ信号を前記オーディオ信号出力端子に出力する減算処理部とを備えるものである。
【発明の効果】
【００１０】
本発明のビデオ再生装置によれば、オーディオ信号に加えられるビデオ信号成分によるノイズを軽減させることができる。
【発明を実施するための最良の形態】
【００１１】
図１は、本発明のビデオ再生装置の一実施例であって、アンプ装置に接続した構成を示すブロック図である。ビデオ再生装置１のビデオ信号出力端子３とオーディオ信号出力端子４は、それぞれ、ビデオ信号伝送ケーブルとオーディオ信号伝送ケーブルを介して、アンプ装置５のビデオ信号入力端子６とオーディオ信号入力端子７に接続される。ビデオ再生装置１内で、ビデオ信号出力端子３に出力されるビデオ信号は、可変抵抗Ｒ１を介して減算処理部２に入力される。減算処理部２は、入力されたビデオ信号を、オーディオ信号出力端子４に出力するオーディオ信号から減算する。ビデオ信号入力端子６は負荷抵抗Ｒ３（＝７５Ω）、オーディオ信号入力端子７は負荷抵抗Ｒ４（＝４７ｋΩ）を、それぞれ備えている。
【００１２】
ビデオ信号伝送ケーブルは、ビデオ信号伝送線Ｖ１と接地線Ｅ４を備える。オーディオ信号伝送ケーブルは、オーディオ信号線Ａ１と接地線Ｅ５を備える。ビデオ信号伝送ケーブルの接地線Ｅ４は、ビデオ再生装置１内、及びアンプ装置内５で、それぞれ、ビデオ信号出力端子３、ビデオ信号入力端子６を介して、接地線Ｅ２、Ｅ６からオーディオ信号出力端子４、オーディオ信号入力端子７と共通の接地線Ｅ１、Ｅ８に接続される。オーディオ信号伝送ケーブルの接地線Ｅ５は、ビデオ再生装置１内、及びアンプ装置内５で、それぞれ、オーディオ信号出力端子４、オーディオ信号入力端子７を介して、接地線Ｅ３、Ｅ７からビデオ信号出力端子３、ビデオ信号入力端子６と共通の接地線Ｅ１、Ｅ８に接続される。
【００１３】
ビデオ再生装置とアンプ装置との間に生じる電位差Ｅnは、次式で示される。
Ｅn ＝（Ｉv＋Ｉa）×Ｒ
＝（（Ｅv／（Ｒ＋７５））＋（Ｅa／（Ｒ＋４７０００））×Ｒ
ここで、Ｉvはビデオ信号電流、Ｉaはオーディオ信号電流、Ｒは接地線の電気抵抗、Ｅvはビデオ信号電圧、Ｅaはオーディオ信号電圧である。
通常、Ｒは０．１以下の十分小さな値であるので、次式のように近似できる。
Ｅn ≒（Ｅv／７５）×Ｒ
減算処理部２は、当該近似式によって電位差Ｅnを算出し、ビデオ信号電圧ＥvをＥnに合わせるように、予め使用者が、可変抵抗Ｒ１の両端に電圧計を接続し電圧計の表示値を見て、手動で可変抵抗Ｒ１の抵抗値を調節する。オーディオ信号出力端子４に出力される前のオーディオ信号電圧Ｅaから、減算処理部２によって、ノイズ電圧を打ち消すためのビデオ信号電圧Ｅnが減算される。減算処理されたオーディオ信号は、オーディオ信号出力端子４から出力される。このようにして、オーディオ信号に加わるビデオ信号成分によるノイズを軽減させることができる。
【図面の簡単な説明】
【００１４】
【図１】本発明のビデオ再生装置の一実施例の構成を示すブロック図である。
【図２】従来のビデオ再生装置の構成の一例を示すブロック図である。
【符号の説明】
【００１５】
１  ビデオ再生装置
２  減算処理部
３  ビデオ信号出力端子
４  オーディオ信号出力端子
５  アンプ装置
６  ビデオ信号入力端子
７  オーディオ信号入力端子
Ｒ１  可変抵抗
Ｒ２、Ｒ３、Ｒ４  抵抗
【図１】
2007150677.tif 000003
【図２】
2007150677.tif 000004